(57)【要約】【課題】ＡＴＳＣ３．０規格の地上波デジタル放送を受信する受信装置において、チャネルボンディングを実現する。【解決手段】第１の受信回路は、第１および第２のパケットを含むストリーム内の第１のパケットが符号化された第１のフレームを第１の周波数チャネルを介して受信する。第２の受信回路は、第２のパケットが符号化された第２のフレームを第１の周波数チャネルと異なる第２の周波数チャネルを介して受信する。第１の集積回路は、第１のフレームを復号して前記第１のパケットを取得する。第２の集積回路は、第２のフレームを復号して第２のパケットを取得する処理と第１および第２のパケットを結合して前記ストリームを復元する処理とを行う。【選択図】図１
2020022117.tif 000002
【特許請求の範囲】
【請求項１】
第１および第２のパケットを含むストリーム内の前記第１のパケットが符号化された第１のフレームを第１の周波数チャネルを介して受信する第１の受信回路と、
前記第２のパケットが符号化された第２のフレームを前記第１の周波数チャネルと異なる第２の周波数チャネルを介して受信する第２の受信回路と、
前記第１のフレームを復号して前記第１のパケットを取得する第１の集積回路と、
前記第２のフレームを復号して前記第２のパケットを取得する処理と前記第１および第２のパケットを結合して前記ストリームを復元する処理とを行う第２の集積回路と
を具備する受信装置。
【請求項２】
前記第１の集積回路は、
前記第１のフレームを復調して複数の第１入力セルを取得する第１の復調部と、
前記複数の第１入力セルの一部を前記第２の集積回路との間で交換して交換後のセルのそれぞれを第１出力セルとして出力する第１のセル交換部と、
前記第１出力セルを復号して前記第１のパケットを取得する第１の復号部と
を備え、
前記第２の集積回路は、
前記第２のフレームを復調して複数の第２入力セルを取得する第２の復調部と、
前記複数の第２入力セルの一部を前記第１の集積回路との間で交換して交換後のセルのそれぞれを第２出力セルとして出力する第２のセル交換部と、
前記第２出力セルを復号して前記第２のパケットを取得する第２の復号部と、
前記第１および第２のパケットを結合して前記ストリームを復元する結合部と
を備える請求項１記載の受信装置。
【請求項３】
前記第１のセル交換部は、前記第１入力セルの入力インデックスを取得し、当該入力インデックスが奇数である場合には前記第１入力セルの交換を行い、
前記第２のセル交換部は、前記第２入力セルの入力インデックスを取得し、当該入力インデックスが奇数である場合には前記第２入力セルの交換を行う
請求項２記載の受信装置。
【請求項４】
前記第１のセル交換部は、クロック信号、前記入力インデックスに応じた数値、同期信号およびデータ有効信号の少なくとも１つを前記第１入力セルとともに前記第２のセル交換部に送信する
請求項３記載の受信装置。
【請求項５】
前記第２のセル交換部は、クロック信号、前記入力インデックスに応じた数値、同期信号およびデータ有効信号の少なくとも１つを前記第２入力セルとともに前記第１のセル交換部に送信する
請求項３記載の受信装置。
【請求項６】
前記第２の集積回路は、所定の条件を満たす場合には前記第１および第２のパケットを結合する
請求項１記載の受信装置。
【請求項７】
前記第１のフレームは、前記第１のパケットを符号化した第１符号化ブロックを含み、
前記第２のフレームは、前記第２のパケットを符号化した第２符号化ブロックを含み、
前記第１の集積回路は、前記第１の符号化ブロックの復号のたびに前記第１のパケットの誤りの有無を判断し、前記誤りが無いと連続して判断した回数が所定回数を超えた場合には第１の復号ロックフラグを生成し、
前記第２の集積回路は、前記第１の符号化ブロックの復号のたびに前記第２のパケットの誤りの有無を判断し、前記誤りが無いと連続して判断した回数が所定回数を超える場合には第２の復号ロックフラグを生成し、前記第１および第２の復号ロックフラグが生成されたときに前記第１および第２のパケットの結合を開始する
請求項６記載の受信装置。
【請求項８】
前記第２の集積回路は、前記誤りが無いと判断された前記第１のパケットと前記誤りが無いと判断された前記第２のパケットとを結合する
請求項７記載の受信装置。
【請求項９】
前記第１の集積回路は、クロック信号、同期信号およびデータ有効信号の少なくとも１つを前記第１のパケットとともに前記第２の集積回路に送信する
請求項１記載の受信装置。
【請求項１０】
前記第１および第２のフレームは、ＡＴＳＣ（Advanced Television Systems Committee standards）３．０規格に準拠したフレームである
請求項１記載の受信装置。
【請求項１１】
第１および第２のパケットを含むストリーム内の前記第１のパケットを符号化した第１のフレームを第１の周波数チャネルを介して送信するとともに前記第２のパケットを符号化した第２のフレームを前記第１の周波数チャネルと異なる第２の周波数チャネルを介して送信する送信装置と、
前記第１のフレームを前記第１の周波数チャネルを介して受信する第１の受信回路と、
前記第２のフレームを前記第２の周波数チャネルを介して受信する第２の受信回路と、
前記第１のフレームを復号して前記第１のパケットを取得する第１の集積回路と、
前記第２のフレームを復号して前記第２のパケットを取得する処理と前記第１および第２のパケットを結合して前記ストリームを復元する処理とを行う第２の集積回路と
を具備する通信システム。
【請求項１２】
第１および第２のパケットを含むストリーム内の前記第１のパケットが符号化された第１のフレームを第１の周波数チャネルを介して受信する第１の受信手順と、
前記第２のパケットが符号化された第２のフレームを前記第１の周波数チャネルと異なる第２の周波数チャネルを介して受信する第２の受信手順と、
第１の集積回路が、前記第１のフレームを復号して前記第１のパケットを取得する第１の取得手順と、
第２の集積回路が、前記第２のフレームを復号して前記第２のパケットを取得する処理と前記第１および第２のパケットを結合して前記ストリームを復元する処理とを行う第２の取得手順と
を具備する受信装置の制御方法。
【発明の詳細な説明】
【技術分野】
【０００１】
本技術は、受信装置、通信システム、および、受信装置の制御方法に関する。詳しくは、地上波デジタル放送を受信する受信装置、通信システム、および、受信装置の制御方法に関する。
【背景技術】
【０００２】
近年、ＡＴＳＣ（Advanced Television Systems Committee standards）３．０規格を用いた次世代の地上波デジタル放送を受信するための受信装置の開発や研究が進められている。このＡＴＳＣ３．０規格では、周波数帯域の利用効率を向上させるために、チャネルボンディングと呼ばれる技術を用いることが予定されている（例えば、非特許文献１参照。）。ここで、チャネルボンディングとは、送信装置が１つのストリームを複数のデータに分割して互いに異なる周波数チャネルを介して送信した際に、それらのデータを受信装置が受信して結合することを意味する。
【先行技術文献】
【非特許文献】
【０００３】
【非特許文献１】"ATSC Standard:Physical Layer Protocol Doc. A/322:2017"、Advanced Television Systems Committee、インターネット（https://www.atsc.org/standards/atsc-3-0-standards/）
【発明の概要】
【発明が解決しようとする課題】
【０００４】
上述の従来技術では、チャネルボンディングを用いて周波数帯域の利用効率を向上させることができる。しかしながら、非特許文献１には、送信側の仕様について記載されている一方で、受信側の仕様については記載されていない。このため、チャネルボンディングに対応した受信装置の開発が求められている。
【０００５】
本技術はこのような状況に鑑みて生み出されたものであり、ＡＴＳＣ３．０規格の地上波デジタル放送を受信する受信装置において、チャネルボンディングを実現することを目的とする。
【課題を解決するための手段】
【０００６】
本技術は、上述の問題点を解消するためになされたものであり、その第１の側面は、第１および第２のパケットを含むストリーム内の上記第１のパケットが符号化された第１のフレームを第１の周波数チャネルを介して受信する第１の受信回路と、上記第２のパケットが符号化された第２のフレームを上記第１の周波数チャネルと異なる第２の周波数チャネルを介して受信する第２の受信回路と、上記第１のフレームを復号して上記第１のパケットを取得する第１の集積回路と、上記第２のフレームを復号して上記第２のパケットを取得する処理と上記第１および第２のパケットを結合して上記ストリームを復元する処理とを行う第２の集積回路とを具備する受信装置、および、その制御方法である。これにより、第１および第２の周波数チャネルを介して取得された第１および第２のパケットからストリームが復元されるという作用をもたらす。
【０００７】
また、この第１の側面において、上記第１の集積回路は、上記第１のフレームを復調して複数の第１入力セルを取得する第１の復調部と、上記複数の第１入力セルの一部を上記第２の集積回路との間で交換して交換後のセルのそれぞれを第１出力セルとして出力する第１のセル交換部と、上記第１出力セルを復号して上記第１のパケットを取得する第１の復号部とを備え、上記第２の集積回路は、上記第２のフレームを復調して複数の第２入力セルを取得する第２の復調部と、上記複数の第２入力セルの一部を上記第１の集積回路との間で交換して交換後のセルのそれぞれを第２出力セルとして出力する第２のセル交換部と、上記第２出力セルを復号して上記第２のパケットを取得する第２の復号部と、上記第１および第２のパケットを結合して上記ストリームを復元する結合部とを備える。これにより、セルが交換されるという作用をもたらす。
【０００８】
また、この第１の側面において、上記第１のセル交換部は、上記第１入力セルの入力インデックスに応じた数値を取得し、当該入力インデックスが奇数である場合には上記第１入力セルの交換を行い、上記第２のセル交換部は、上記第２入力セルの入力インデックスを取得し、当該入力インデックスが奇数である場合には上記第２入力セルの交換を行ってもよい。これにより、奇数個目のセルのみが交換されるという作用をもたらす。
【０００９】
また、この第１の側面において、上記第１のセル交換部は、クロック信号、上記入力インデックスに応じた数値、同期信号およびデータ有効信号の少なくとも１つを上記第１入力セルとともに上記第２のセル交換部に送信してもよい。これにより、第１入力セルが確実に伝送されるという作用をもたらす。
【００１０】
また、この第１の側面において、上記第２の交換セルは、クロック信号、上記入力インデックスに応じた数値、同期信号およびデータ有効信号の少なくとも１つを上記第２入力セルとともに上記第１の交換セルに送信してもよい。これにより、第２入力セルが確実に伝送されるという作用をもたらす。
【００１１】
また、この第１の側面において、上記第２の集積回路は、所定の条件を満たす場合には上記第１および第２のパケットを結合してもよい。これにより、条件を満たすパケットのみが結合されるという作用をもたらす。
【００１２】
また、この第１の側面において、上記第１のフレームは、上記第１のパケットを符号化した第１符号化ブロックを含み、上記第２のフレームは、上記第２のパケットを符号化した第２符号化ブロックを含み、上記第１の集積回路は、上記第１の符号化ブロックの復号のたびに上記第１のパケットの誤りの有無を判断し、上記誤りが無いと連続して判断した回数が所定回数を超えた場合には第１の復号ロックフラグを生成し、上記第２の集積回路は、上記第１の符号化ブロックの復号のたびに上記第２のパケットの誤りの有無を判断し、上記誤りが無いと連続して判断した回数が所定回数を超える場合には第２の復号ロックフラグを生成し、上記第１および第２の復号ロックフラグが生成されたときに上記第１および第２のパケットの結合を開始してもよい。これにより、伝送状態が良好である場合にパケットが結合されるという作用をもたらす。
【００１３】
また、この第１の側面において、上記第２の集積回路は、上記誤りが無いと判断された上記第１のパケットと上記誤りが無いと判断された上記第２のパケットとを結合してもよい。これにより、誤りの無いパケット同士が結合されるという作用をもたらす。
【００１４】
また、この第１の側面において、上記第１の集積回路は、クロック信号、同期信号およびデータ有効信号の少なくとも１つを上記第１のパケットとともに上記第２の集積回路に送信してもよい。これにより、パケットが確実に伝送されるという作用をもたらす。
【００１５】
また、この第１の側面において、上記第１および第２のフレームは、ＡＴＳＣ（Advanced Television Systems Committee standards）３．０規格に準拠したフレームであってもよい。これにより、ＡＴＳＣ３．０規格の地上波デジタル放送が受信されるという作用をもたらす。
【００１６】
また、本技術の第２の側面は、第１および第２のパケットを含むストリーム内の上記第１のパケットを符号化した第１のフレームを第１の周波数チャネルを介して送信するとともに上記第２のパケットを符号化した第２のフレームを上記第１の周波数チャネルと異なる第２の周波数チャネルを介して送信する送信装置と、上記第１のフレームを上記第１の周波数チャネルを介して受信する第１の受信回路と、上記第２のフレームを上記第２の周波数チャネルを介して受信する第２の受信回路と、上記第１のフレームを復号して上記第１のパケットを取得する第１の集積回路と、上記第２のフレームを復号して上記第２のパケットを取得する処理と上記第１および第２のパケットを結合して上記ストリームを復元する処理とを行う第２の集積回路とを具備する通信システムである。これにより、第１および第２の周波数チャネルを介して送信された第１および第２のフレームから、第１および第２のパケットが取得され、それらのパケットからストリームが復元されるという作用をもたらす。
【発明の効果】
【００１７】
本技術によれば、ＡＴＳＣ３．０規格の地上波デジタル放送を受信する受信装置において、チャネルボンディングを実現することができるという優れた効果を奏し得る。なお、ここに記載された効果は必ずしも限定されるものではなく、本開示中に記載されたいずれかの効果であってもよい。
【図面の簡単な説明】
【００１８】
【図１】本技術の第１の実施の形態における通信システムの一構成例を示すブロック図である。
【図２】本技術の第１の実施の形態における送信装置の一構成例を示すブロック図である。
【図３】本技術の第１の実施の形態におけるベースバンドパケットのデータ構造の一例を示す図である。
【図４】本技術の第１の実施の形態におけるＯＦＤＭ（Orthogonal Frequency Division Multiplexing）フレームのデータ構造の一例を示す図である。
【図５】本技術の第１の実施の形態におけるＬ１−Ｄｅｔａｉｌ情報の構文の一例を示す図である。
【図６】本技術の第１の実施の形態におけるストリームの分割を説明するための図である。
【図７】本技術の第１の実施の形態におけるメイン集積回路およびサブ集積回路の一構成例を示すブロック図である。
【図８】本技術の第１の実施の形態におけるサブ側の構成をメイン側と同様にしたメイン集積回路およびサブ集積回路の一構成例を示すブロック図である。
【図９】本技術の第１の実施の形態におけるサブ側復号部の一構成例を示すブロック図である。
【図１０】本技術の第１の実施の形態におけるデータの転送制御を示すタイミングチャートの一例である。
【図１１】本技術の第１の実施の形態における受信装置の受信処理の一例を示すフローチャートである。
【図１２】本技術の第１の実施の形態における受信装置の結合処理の一例を示すフローチャートである。
【図１３】本技術の第１の実施の形態の変形例におけるサブ側復号部の一構成例を示すブロック図である。
【図１４】本技術の第１の実施の形態の変形例におけるデータの転送制御を示すタイミングチャートの一例である。
【図１５】本技術の第１の実施の形態と、その変形例とにおけるデータの転送パターンの一例を示す図である。
【図１６】本技術の第２の実施の形態における送信装置の一構成例を示すブロック図である。
【図１７】本技術の第２の実施の形態におけるセルの交換手順を説明するための図である。
【図１８】本技術の第２の実施の形態におけるメイン集積回路およびサブ集積回路の一構成例を示すブロック図である。
【図１９】本技術の第２の実施の形態におけるメイン側セル交換部の一構成例を示すブロック図である。
【図２０】本技術の第２の実施の形態におけるデータの転送制御を示すタイミングチャートの一例である。
【図２１】本技術の実施の形態におけるデータの転送パターンの一例を示す図である。
【図２２】本技術の第３の実施の形態におけるメイン集積回路およびサブ集積回路の一構成例を示すブロック図である。
【発明を実施するための形態】
【００１９】
以下、本技術を実施するための形態（以下、実施の形態と称する）について説明する。説明は以下の順序により行う。
１．第１の実施の形態（受信装置がチャネルボンディングを行う例）
２．第２の実施の形態（受信装置がセルを交換し、チャネルボンディングを行う例）
３．第３の実施の形態（受信装置が３つ以上の周波数チャネル間でチャネルボンディングを行う例）
【００２０】
＜１．第１の実施の形態＞
［通信システムの構成例］
図１は、本技術の第１の実施の形態における通信システムの一構成例を示すブロック図である。この通信システムは、ＡＴＳＣ３．０規格の地上波デジタル放送を送受信するシステムであり、送信装置１００および受信装置２００を備える。
【００２１】
送信装置１００は、アンテナ１８０を備える。この送信装置１００は、複数の周波数チャネルを介してデータをＯＦＤＭフレーム単位で送信する。アンテナ１８０は、ＯＦＤＭ変調を行ったＲＦ信号を送信する。
【００２２】
受信装置２００は、アンテナ２１０および２１５と、ＲＦ受信回路２２０および２２５と、メイン集積回路３００およびサブ集積回路４００と、復号データ処理部２５０とを備える。
【００２３】
アンテナ２１０および２１５は、互いに異なる周波数チャネルを介してＲＦ信号を受信するものである。アンテナ２１０は、ＲＦ信号をＲＦ受信回路２２０に供給し、アンテナ２１５は、ＲＦ信号をＲＦ受信回路２２５に供給する。
【００２４】
ＲＦ受信回路２２０および２２５は、アナログのＲＦ信号に対してＡＤ（Analog to Digital）変換や周波数変換を行ってベースバンド信号を取得するものである。これにより、ベースバンド信号が受信される。ＲＦ受信回路２２０は、ベースバンド信号をＯＦＤＭフレーム単位でメイン集積回路３００に供給する。ＲＦ受信回路２２５は、ベースバンド信号をＯＦＤＭフレーム単位でサブ集積回路４００に供給する。なお、ＲＦ受信回路２２０は、特許請求の範囲に記載の第２の受信回路の一例である。ＲＦ受信回路２２５は、特許請求の範囲に記載の第１の受信回路の一例である。
【００２５】
サブ集積回路４００は、ＯＦＤＭフレームの復号によりベースバンドパケット（ＢＢＰ:BaseBand Packets）を取得してメイン集積回路３００に出力するものである。なお、サブ集積回路４００は、特許請求の範囲に記載の第１の集積回路の一例である。
【００２６】
メイン集積回路３００は、ＯＦＤＭフレームの復号によりＢＢＰを取得し、サブ集積回路４００からのＢＢＰと結合するものである。このメイン集積回路３００は、結合後のデータを復号データとして復号データ処理部２５０に供給する。なお、メイン集積回路３００は、特許請求の範囲に記載の第２の集積回路の一例である。
【００２７】
復号データ処理部２５０は、復号データに対してデコード処理などを行うことにより映像や音声を生成し、表示装置やスピーカーに出力するものである。
【００２８】
［送信装置の構成例］
図２は、本技術の第１の実施の形態における送信装置１００の一構成例を示すブロック図である。この送信装置１００は、入力フォーマッティングブロック１１０と、ストリーム分割ブロック１２０と、ＢＩＣＭ(Bit Interleaved and Coded Modulation)ブロック１３０および１３５とを備える。また、送信装置１００は、フレーム化・インターリービングブロック１５０および１５５と、波形生成部１６０および１６５と、ＲＦ送信回路１７０とを備える。
【００２９】
入力フォーマッティングブロック１１０は、入力された複数のデータのそれぞれをカプセル化および圧縮してＢＢＰを生成するものである。この入力フォーマッティングブロック１１０には、映像ストリームなどのストリームを一定の単位で分割した複数のデータが入力される。
【００３０】
ここで、ＡＴＳＣ３．０規格では、データは、ＰＬＰ（Physical Layer Pipe）と呼ばれるデータ構造において伝送される。そして、送信側は、６４ＰＬＰまで伝送することができ、受信側は最大４ＰＬＰまで同時処理することができなければならない。
【００３１】
入力フォーマッティングブロック１１０は、データのそれぞれをカプセル化および圧縮して、ＡＬＰ(ATSC Link layer Protocol)パケットを生成する。そして、入力フォーマッティングブロック１１０は、ＰＬＰごとに、ＰＬＰに対応するＡＬＰパケットからなるＡＬＰ群を複数に分割し、その分割したデータをペイロードに格納したＢＢＰを生成する。入力フォーマッティングブロック１１０は、それらのＢＢＰを含むストリームをストリーム分割ブロック１２０に供給する。
【００３２】
ストリーム分割ブロック１２０は、チャネルボンディングに用いる周波数チャネルの個数に応じてストリームを分割するものである。ここでは、２つの周波数チャネルを介してストリームを送信するものとする。ストリーム分割ブロック１２０は、ストリームをＢＢＰ単位で２つに分割し、分割したデータの一方をＢＩＣＭブロック１３０に供給し、他方をＢＩＣＭブロック１３５に供給する。
【００３３】
ＢＩＣＭブロック１３０および１３５は、ＰＬＰごとに、ＰＬＰに対応する複数のＢＢＰのそれぞれを符号化し、ビットインタリーブを行って複数のセルを出力するものである。ＢＩＣＭブロック１３０は、フレーム化・インターリービングブロック１５０へ、ＰＬＰに対応するセル群を出力し、ＢＩＣＭブロック１３５は、フレーム化・インターリービングブロック１５５へ、ＰＬＰに対応するセル群を出力する。
【００３４】
フレーム化・インターリービングブロック１５０および１５５は、ＰＬＰに対応するセル群に対して時間インターリーブおよび周波数インターリーブを行い、ＯＦＤＭフレームを構成するシンボル群を生成するものである。フレーム化・インターリービングブロック１５０は、ＯＦＤＭフレームに対応するシンボル群のそれぞれを波形生成部１６０に出力する。一方、フレーム化・インターリービングブロック１５５は、ＯＦＤＭフレームに対応するシンボル群のそれぞれを波形生成部１６５に出力する。
【００３５】
波形生成部１６０および１６５は、パイロット信号の挿入、逆高速フーリエ変換（ＩＦＦＴ：Inverse Fast Fourier Transform）や、ガードインターバルの挿入などを行ってＯＦＤＭフレームを生成するものである。波形生成部１６０および１６５は、ＯＦＤＭフレームをＲＦ送信回路１７０に出力する。
【００３６】
ＲＦ送信回路１７０は、波形生成部１６０からのＯＦＤＭフレームと、波形生成部１６５からのＯＦＤＭフレームとを、互いに異なる周波数チャネルを介して送信するものである。このＲＦ送信回路１７０は、波形生成部１６０からのＯＦＤＭフレームを、周波数チャネルＣＨ１を介して、例えば、アンテナ１８０から送信する。また、ＲＦ送信回路１７０は、波形生成部１６５からのＯＦＤＭフレームを、周波数チャネルＣＨ２を介して、例えば、アンテナ１８０から送信する。なお、後述するように、ＲＦ受信回路およびアンテナを２つずつ配置することもできる。
【００３７】
なお、周波数チャネルＣＨ１およびＣＨ２の周波数帯域は、互いに隣接している必要は無い。また、送信装置１００は、チャネルボンディングを用いる際に２つの周波数チャネルを介してＯＦＤＭフレームを送信しているが、３つ以上の周波数チャネルを介してＯＦＤＭフレームを送信することもできる。また、送信装置１００内の処理は、「"ATSC Standard:Physical Layer Protocol Doc. A/322:2017"、Advanced Television Systems Committee、インターネット（https://www.atsc.org/standards/atsc-3-0-standards/）」に記載されている。
【００３８】
図３は、本技術の第１の実施の形態におけるベースバンドパケット（ＢＢＰ）のデータ構造の一例を示す図である。このＢＢＰは、ＢＢＰヘッダおよびペイロードを含む。ＢＢＰヘッダには、ベースフィールド、オプショナルフィールドおよび拡張フィールドが設けられる。そして、拡張フィールドには、カウンタやリザーブドの領域が設けられる。このカウンタは、ＰＬＰ内のＢＢＰごとに１ずつ線形に増加する値であり、ＰＬＰごとに独立のカウンタが用いられる。拡張フィールド内のカウンタを以下、「拡張カウンタ」と称する。また、ペイロードに格納されたデータを「ＢＢＰデータ」と称する。
【００３９】
図４は、本技術の第１の実施の形態におけるＯＦＤＭフレームのデータ構造の一例を示す図である。ＯＦＤＭフレームは、ブートストラップ、プリアンブルおよびペイロードを含む。プリアンブルには、Ｌ１−Ｂａｓｉｃ情報およびＬ１−Ｄｅｔａｉｌ情報からなるＬ１情報が格納される。Ｌ１−Ｂａｓｉｃ情報には、パイロット信号の符号化方法などが格納される。Ｌ１−Ｄｅｔａｉｌ情報の詳細については後述する。ペイロードには、最大で２５６個のサブフレームが格納される。また、サブフレームのそれぞれには、最大で６４個のＰＬＰが格納される。
【００４０】
ＢＩＣＭブロック１３０等は、ＰＬＰに対応するＢＢＰ群に対して符号化およびビットインターリービングを行い、ＰＬＰに対応するセル群を生成する。そして、フレーム化・インターリービングブロック１５０等は、ＰＬＰに対応するセル群に対して周波数インターリービングや時間インターリービングを行う一方でプリアンブルを生成し、ＯＦＤＭを構成するシンボル群を生成する。
【００４１】
図５は、本技術の第１の実施の形態におけるＬ１−Ｄｅｔａｉｌ情報の構文の一例を示す図である。この構文は、「ATSC Standard:Physical Layer Protocol Doc. A/322:2017"、Advanced Television Systems Committee、インターネット（https://www.atsc.org
/standards/atsc-3-0-standards/）」に記載されている。
【００４２】
Ｌ１−Ｄｅｔａｉｌ情報内の破線で囲った部分６０１に「L1D_plp_id」フィールドが設けられる。この「L1D_plp_id」フィールドには、ＰＬＰの識別情報が記載される。
【００４３】
また、部分６０２には、現在のサブフレーム内において、現在のＰＬＰ内の最初のセルのインデックスを記載した「L1D_plp_start」フィールドが設けられる。部分６０３には、前方誤り訂正（ＦＥＣ:Forward Error Correction）における符号化方式を記載した「L1D_plp_fec_type」フィールドが設けられる。
【００４４】
部分６０４には、「L1D_plp_mod」フィールドおよび「L1D_plp_cod」フィールドが設けられる。「L1D_plp_mod」フィールドには、現在のＰＬＰで用いた変調方式が記載される。「L1D_plp_cod」フィールドには、現在のＰＬＰの符号化率が記載される。
【００４５】
部分６０５には、現在のＰＬＰのチャネルボンディングに含まれる周波数の個数を記載した「L1D_plp_num_channel_bonded」フィールドが設けられる。ただし、このフィールドの値は、現在のチャネルの周波数を除いた値である。例えば、２つの周波数を用いる場合には、「L1D_plp_num_channel_bonded」フィールドに「１」が設定される。受信装置２００は、「L1D_plp_num_channel_bonded」フィールドを参照することにより、チャネルボンディングを行うか否かを判断することができる。
【００４６】
部分６０６には、現在のＰＬＰのチャネルボンディングフォーマットを記載した「L1D_plp_channel_bonding_format」フィールドが設けられる。
【００４７】
図６は、本技術の第１の実施の形態におけるストリームの分割を説明するための図である。ストリーム内において、あるＰＬＰに対応するＢＢＰ群を２つに分割する場合を考える。このＢＢＰ群において、ＢＢＰごとに拡張カウンタの値が割り当てられ、そのヘッダ内に値が格納される。拡張カウンタは、ＰＬＰ内の先頭のＢＢＰで初期化され、ＢＢＰごとに１つずつ増分する。
【００４８】
ストリーム分割ブロック１２０は、ＰＬＰに対応するＢＢＰ群を、例えば、カウンタ値が「１２」までのＢＢＰ群と、カウンタ値が「１３」以降のＢＢＰ群とに分割する。ＢＩＣＭブロック１３０、フレーム化・インターリービングブロック１５０および波形生成部１６０は、前者のＢＢＰ群に対して符号化やインターリービングなどを行って周波数チャネルＣＨ１に対応するＯＦＤＭフレームを生成する。一方、ＢＩＣＭブロック１３５、フレーム化・インターリービングブロック１５５および波形生成部１６５は、後者のＢＢＰ群に対して符号化やインターリービングなどを行って周波数チャネルＣＨ２に対応するＯＦＤＭフレームを生成する。
【００４９】
受信装置２００は、周波数チャネルＣＨ１およびＣＨ２を介して、上述のＯＦＤＭフレームを受信し、送信側と対応する処理により、カウンタ値が「１２」までのＢＢＰ群と、カウンタ値が「１３」以降のＢＢＰ群とを取得する。そして、受信装置２００は、それらのＢＢＰをカウンタ値の順に配列する（言い換えれば、結合する）ことにより、元のストリームを復元する。このように、受信装置２００は、ＢＢＰ内の拡張カウンタの値を参照することにより、周波数チャネルＣＨ１に対応するＢＢＰと、周波数チャネルＣＨ２に対応するＢＢＰとを結合することができる。
【００５０】
［集積回路の構成例］
図７は、本技術の第１の実施の形態におけるメイン集積回路３００およびサブ集積回路４００の一構成例を示すブロック図である。メイン集積回路３００は、メイン側ＯＦＤＭ復調部３２０、メイン側復号部３４０、結合部３５０およびインターフェース３６０を備える。また、サブ集積回路４００は、サブ側ＯＦＤＭ復調部４２０およびサブ側復号部４４０を備える。
【００５１】
サブ側ＯＦＤＭ復調部４２０は、ＲＦ受信回路２２５からのＯＦＤＭフレームを復調してＬ１情報と、ＰＬＰに対応するＦＥＣブロック群とを取得し、サブ側復号部４４０に供給するものである。このサブ側ＯＦＤＭ復調部４２０においては、送信装置１００内のフレーム化・インターリービングブロック１５５および波形生成部１６５と対応する処理が行われて、ＰＬＰに対応するセル群が生成される。そして、ＢＩＣＭブロック１３５内のインターリーブに対応するデインターリーブにより、ＰＬＰに対応するＦＥＣブロック群が生成される。なお、サブ側ＯＦＤＭ復調部４２０は、特許請求の範囲に記載の第１の復調部の一例である。
【００５２】
サブ側復号部４４０は、ＰＬＰに対応するＦＥＣブロックのそれぞれを復号してＢＢＰを取得し、結合部３５０に出力するものである。このサブ側復号部４４０においては、送信装置１００内のＢＩＣＭブロック１３５内の符号化に対応する復号処理が行われる。なお、サブ側復号部４４０は、特許請求の範囲に記載の第１の復号部の一例である。
【００５３】
メイン側ＯＦＤＭ復調部３２０は、ＲＦ受信回路２２０からのＯＦＤＭフレームを復調してＬ１情報と、ＰＬＰに対応するＦＥＣブロック群とを取得し、メイン側復号部３４０に供給するものである。なお、メイン側ＯＦＤＭ復調部３２０は、特許請求の範囲に記載の第２の復調部の一例である。
【００５４】
メイン側復号部３４０は、ＰＬＰに対応するＦＥＣブロックのそれぞれを復号してＢＢＰを取得し、結合部３５０に出力するものである。なお、メイン側復号部３４０は、特許請求の範囲に記載の第２の復号部の一例である。
【００５５】
結合部３５０は、メイン側復号部３４０からのＢＢＰ群と、サブ側復号部４４０からのＢＢＰ群とを結合して元のストリームを復元するものである。この結合部３５０は、結合後の復号データをインターフェース３６０を介して復号データ処理部２５０に供給する。
【００５６】
ここで、ＡＴＳＣ３．０規格においてチャネルボンディングは、必須ではなく、必要に応じて選択的に利用される。例えば、地域ごとに、チャネルボンディングを利用するか否かが異なる。このため、チャネルボンディングを利用しないことが想定される地域のユーザには、サブ集積回路４００を削除した受信装置２００が提供される。サブ集積回路４００の削減により、受信装置２００のコストを大幅に削減することができる。メイン集積回路３００およびサブ集積回路４００のそれぞれに設けられた回路群を１つの集積回路に搭載することもできるが、この構成では、サブ集積回路４００のみを削除した構成と比較してコストが高くなってしまう。
【００５７】
また、チャネルボンディングを用いる集積回路と、チャネルボンディングを用いない集積回路との両方を個別に設計することもできるが、設計者の負担が大きくなり、好ましくない。チャネルボンディングに必要な回路をメイン集積回路３００とサブ集積回路４００とに分散して設けることにより、チャネルボンディングを用いる受信装置２００と、チャネルボンディングを用いない受信装置との両方を容易に提供することができる。
【００５８】
なお、図７では、サブ集積回路４００には結合部およびインターフェースを設けていないが、図８に例示するように、これらの回路を設けることもできる。
【００５９】
また、チャネルボンディングを利用する地域であっても、放送中に常にチャネルボンディングが利用されるとは限らない。例えば、高精細のコンテンツが送信される際にのみチャネルボンディングが利用される。受信装置２００は、「L1D_plp_num_channel_bonded」を参照することにより、チャネルボンディングを行うか否かを判断する。そして、チャネルボンディングを行わない場合に受信装置２００は、サブ集積回路４００をディセーブルに設定し、停止させる。これにより、消費電力を削減することができる。
【００６０】
また、図８の構成においてメイン集積回路３００およびサブ集積回路４００のそれぞれは、自己診断により故障の有無を検出することもできる。そして、一方に故障が生じた際に、その集積回路を他方がディセーブルに設定する。同図の構成では、サブ側集積回路４００のみでもストリームを出力することができる。これにより、受信装置２００の信頼性を向上させることができる。
【００６１】
［復号部の構成例］
図９は、本技術の第１の実施の形態におけるサブ側復号部４４０の一構成例を示すブロック図である。このサブ側復号部４４０は、ＦＥＣ復号部４４１およびサブ側送信部４４２を備える。
【００６２】
ＦＥＣ復号部４４１は、ＦＥＣブロックのそれぞれを復号してＢＢＰを生成するものである。このＦＥＣ復号部４４１は、ＰＬＰに対応するＢＢＰ群をサブ側送信部４４２に供給する。
【００６３】
サブ側送信部４４２は、ＢＢＰ群にヘッダ情報を付加して結合部３５０に送信するものである。このサブ側送信部４４２は、クロック線４０９、シンク線４１０、データ線４１１およびバリッド線４１２を介して結合部３５０と接続される。クロック線４０９は、クロック信号ＣＬＫを伝送する信号線である。シンク線４１０は、同期信号ＳＹＮＣを伝送する信号線である。データ線４１１は、ヘッダ情報やＢＢＰデータなどのデータ信号ＤＡＴＡを伝送する信号線である。データ線４１１の物理的な本数は、パラレル転送する際には複数本であるが、シリアル転送する際には１本である。以下、パラレル転送する場合であっても、記載の便宜上、データ線４１１は１本として扱う。バリッド線４１２は、伝送中のデータが有効であるか否かを示すデータ有効信号ＶＡＬＩＤを伝送する信号線である。
【００６４】
図１０は、本技術の第１の実施の形態におけるデータの転送制御を示すタイミングチャートの一例である。サブ側送信部４４２は、所定周波数のクロック信号ＣＬＫを生成してサブ側に送信する。
【００６５】
サブ側送信部４４２は、まず、データ送信を開始するタイミングＴ０において、受信側と同期をとるための同期信号ＳＹＮＣを送信する。また、サブ側送信部４４２は、タイミングＴ０からＴ１までの期間にヘッダ情報を送信し、タイミングＴ１からタイミングＴ２までに、クロック信号ＣＬＫに同期してＢＢＰデータを送信する。タイミングＴ３以降は、次のヘッダ情報およびＢＢＰデータが送信される。タイミングＴ２乃至Ｔ３は、有効なデータが送信されないギャップの期間である。この期間において、データ有効信号ＶＡＬＩＤは、ローレベルに設定され、それ以外の期間においてハイレベルに設定される。
【００６６】
ヘッダ情報は、例えば、ＰＬＰの識別情報と、符号化方式および符号化率と、ＢＢＰエラーフラグと、サブ側復号ロックフラグとを含む。同図において「ＰＬＰ  ＩＤ」は、ＰＬＰの識別情報を示し、「ＦＥＣ  ＴＹＰＥ」は、符号化方式を示す。また、「ＦＥＣ  ＣＯＤ」は、符号化率を示す。
【００６７】
「ＰＬＰ  ＩＤ」には、Ｌ１情報内の「L1D_plp_id」フィールドの値が設定される。この識別情報は、M-PLPを利用する場合に用いられる。
【００６８】
また、「ＦＥＣ  ＴＹＰＥ」には、Ｌ１情報内の「L1D_plp_fec_type」フィールドの値が設定される。「ＦＥＣ  ＣＯＤ」には、Ｌ１情報内の「L1D_plp_cod」フィールドの値が設定される。これらの情報は、結合を行う際に用いられる。
【００６９】
ＢＢＰエラーフラグは、サブ側復号部４４０がＦＥＣブロックを復号してＢＢＰを取得する際に、誤りを検出したか否かを示す。サブ側復号ロックフラグは、サブ側復号部４４０が復号する際に、連続して誤りが無いと判断した回数が一定回数以上であるか否かを示す。例えば、連続して誤りが無いと判断した回数が一定回数以上であるときにサブ側復号ロックフラグがオンに設定される。これらのフラグは、サブ側復号部４４０により生成され、結合を行う際に用いられる。
【００７０】
受信側の結合部３５０は、同期信号ＳＹＮＣにより、ヘッダ情報の先頭を検出し、データ有効信号ＶＡＬＩＤがハイレベルの期間内にクロック信号ＣＬＫに同期してデータを受信する。
【００７１】
なお、メイン側復号部３４０から結合部３５０へも、サブ側復号部４４０と同様にヘッダ情報およびＢＢＰデータが送信される。ただし、メイン側復号部３４０からのヘッダ情報は、サブ側復号ロックフラグの代わりにメイン側復号ロックフラグを含む。
【００７２】
図１１は、本技術の第１の実施の形態における受信装置２００の受信処理の一例を示すフローチャートである。この受信処理は、例えば、受信装置２００が放送データを受信するための所定のアプリケーションが実行されたときに開始される。
【００７３】
受信装置２００内のＲＦ受信回路２２０および２２５は、互いに異なる周波数チャネルを介してＯＦＤＭフレームを受信する（ステップＳ９０１）。サブ集積回路４００およびメイン集積回路３００は、対応するＯＦＤＭフレームを復調および復号してＢＢＰを取得する（ステップＳ９０２）。そして、メイン集積回路３００は、ＢＢＰを結合するための結合処理を実行する（ステップＳ９１０）。ステップＳ９１０の後に、受信装置２００は、受信処理を終了する。
【００７４】
図１２は、本技術の第１の実施の形態における受信装置２００の結合処理の一例を示すフローチャートである。結合部３５０は、メイン側復号ロックフラグおよびサブ側復号ロックフラグの両方がオンであるか否かを判断する（ステップＳ９１１）。メイン側復号ロックフラグおよびサブ側復号ロックフラグの少なくとも一方がオフである場合に（ステップＳ９１１：Ｎｏ）、結合部３５０は、ステップＳ９１１以降を繰り返す。
【００７５】
一方メイン側復号ロックフラグおよびサブ側復号ロックフラグの両方がオンである場合に（ステップＳ９１１：Ｙｅｓ）、結合部３５０は、メイン側およびサブ側のそれぞれのＢＢＰを取得する（ステップＳ９１２）。
【００７６】
そして、結合部３５０は、結合するための一定の条件を満たすか否かを判断する（ステップＳ９１３）。例えば、次の３つの条件を全て満たすという条件が満たされたか否かが判断される。
（１）メイン側のＢＢＰエラーが無く、かつ、サブ側のＢＢＰエラーが無い。
（２）メイン側の符号化方式および符号化率が両方ともサブ側と一致する。
（３）（メイン側の拡張カウンタの値）＝＝（サブ側の拡張カウンタの値）＋１、
もしくは、（メイン側の拡張カウンタの値）＝＝（サブ側の拡張カウンタの値）−１
【００７７】
一定の条件を満たさない場合（ステップＳ９１３：Ｎｏ）、結合部３５０は、ステップＳ９１２以降を繰り返す。一方、一定の条件を満たす場合（ステップＳ９１３：Ｙｅｓ）、結合部３５０は、拡張カウンタを用いてＢＢＰを結合し、元のストリームを復元する（ステップＳ９１４）。ステップＳ９１４の後に、結合部３５０は、結合処理を終了する。
【００７８】
このように、本技術の第１の実施の形態では、サブ集積回路４００がチャネルＣＨ２のＢＢＰを出力し、メイン集積回路３００がチャネルＣＨ１のＢＢＰを取得してチャネルＣＨ１のＢＢＰと結合する。これにより、ＡＴＳＣ３．０規格におけるチャネルボンディングを実現することができる。
【００７９】
［変形例］
上述の第１の実施の形態では、サブ集積回路４００は、クロック線４０９、シンク線４１０、データ線４１１およびバリッド線４１２の４本の信号線を介してデータを送信していたが、コストを低減する観点から、信号線の配線数は少ない方が望ましい。この第１の実施の形態の変形例のサブ集積回路４００は、３本以下の信号線を介してデータを送信する点において第１の実施の形態と異なる。
【００８０】
図１３は、本技術の第１の実施の形態の変形例におけるサブ側復号部４４０の一構成例を示すブロック図である。この第１の実施の形態の変形例のサブ側復号部４４０は、クロック線４０９、データ線４１１およびバリッド線４１２の３本を介してメイン側の結合部３５０と接続される点において第１の実施の形態と異なる。
【００８１】
図１４は、本技術の第１の実施の形態の変形例におけるデータの転送制御を示すタイミングチャートの一例である。この第１の実施の形態の変形例においてサブ側復号部４４０は、タイミングＴ０乃至Ｔ１の期間に、所定のデータ系列の同期信号をデータ線４１１を介して送信する。続いて、サブ側復号部４４０は、タイミングＴ１乃至Ｔ２の期間に、ヘッダ情報およびＢＢＰデータを送信する。
【００８２】
なお、サブ側復号部４４０は、データ有効信号ＶＡＬＩＤを送信しているが、データ有効信号ＶＡＬＩＤを送信しない構成とすることもできる。これにより、バリッド線４１２を配線する必要が無くなり、クロック線４０９およびデータ線４１１のみでデータを送信することができる。この場合にサブ側復号部４４０は、ギャップの期間を設けず、連続してデータを送信すればよい。
【００８３】
図１５は、本技術の第１の実施の形態と、その変形例とにおけるデータの転送パターンの一例を示す図である。第１の実施の形態では、４本の信号線を介してサブ側からメイン側へ、クロック信号ＣＬＫ、データ信号ＤＡＴＡ（ヘッダ情報やＢＢＰデータなど）、同期信号ＳＹＮＣおよびデータ有効信号ＶＡＬＩＤが送信される。
【００８４】
第１の実施の形態の変形例では、３本の信号線を介してサブ側からメイン側へ、クロック信号ＣＬＫ、データ信号ＤＡＴＡおよびデータ有効信号ＶＡＬＩＤが送信される。なお、上述したように、２本の信号線を介してサブ側からメイン側へ、クロック信号ＣＬＫおよびデータ信号ＤＡＴＡが送信される構成であってもよい。また、３本の信号線を介して、サブ側からメイン側へ、クロック信号ＣＬＫ、データ信号ＤＡＴＡおよび同期信号ＳＹＮＣが送信される構成であってもよい。この場合にサブ側復号部４４０は、ギャップの期間を設けず、連続してデータを送信すればよい。
【００８５】
このように、本技術の第１の実施の形態の変形例によれば、サブ側復号部４４０は、データ線４１１を介して同期信号を送信するため、同期信号を伝送するためのシンク線４１０を省くことができる。
【００８６】
＜２．第２の実施の形態＞
上述の第１の実施の形態では、受信装置２００は、複数の周波数チャネルを介してデータを受信していたが、電波障害などにより伝送エラーが生じた際にＳＮＲ（Signal-Noise Ratio）が低下するおそれがある。この第２の実施の形態の受信装置２００は、セル交換を行ってＳＮＲを向上させる点において第１の実施の形態と異なる。
【００８７】
図１６は、本技術の第２の実施の形態における送信装置１００の一構成例を示すブロック図である。この送信装置１００は、セル交換ブロック１４０、ＲＦ送信回路１７５およびアンテナ１８５をさらに備える点において第１の実施の形態と異なる。
【００８８】
セル交換ブロック１４０は、互いに異なる周波数チャネル同士でセルを交換するものである。このセル交換ブロック１４０は、ＢＩＣＭブロック１３０および１３５と、フレーム化・インターリービングブロック１５０および１５５との間に挿入される。セル交換ブロック１４０は、ＰＬＰに対応するセル群において、周波数チャネルＣＨ１の奇数個目のセルと、周波数チャネルＣＨ２の奇数個目のセルとを交換する。一方、周波数チャネルＣＨ１の偶数個目のセルと、周波数チャネルＣＨ２の偶数個目のセルとは交換されない。セル交換ブロック１４０は、偶数個目の交換していないセル、または、奇数個目の交換後のセルをフレーム化・インターリービングブロック１５０および１５５へ出力する。また、ＲＦ送信回路１７０は、波形生成部１６０からのＯＦＤＭフレームをアンテナ１８０から送信し、ＲＦ送信回路１７５は、波形生成部１６５からのＯＦＤＭフレームをアンテナ１８５から送信する。
【００８９】
ＡＴＳＣ３．０において、セルの交換は必須ではなく、必要に応じて行われる。送信側でセル交換を行ったか否かは、Ｌ１情報内の「L1D_plp_channel_bonding_format」を参照することにより受信側が把握することができる。
【００９０】
図１７は、本技術の第２の実施の形態におけるセルの交換手順を説明するための図である。同図におけるａは、１個目のセルに対するセル交換ブロック１４０の処理を示す。同図におけるｂは、２個目のセルに対するセル交換ブロック１４０の処理を示す。同図におけるｃは、３個目のセルに対するセル交換ブロック１４０の処理を示す。
【００９１】
ここで、セル交換ブロック１４０に入力されるセルを「入力セル」と称し、セル交換ブロック１４０から出力されるセルを「出力セル」と称する。また、周波数チャネルＣＨ１のＰＬＰに対応するセル群のうちｉ個目の入力セルをｓｉ，１とする。ｉは、ＰＬＰを構成するセルの個数をＮＣＥＬＬ（ＮＣＥＬＬは整数）とすると、１乃至ＮＣＥＬＬの整数の入力インデックスである。周波数チャネルＣＨ２のＰＬＰに対応するセル群のうちｉ個目の入力セルをｓｉ，２とする。
【００９２】
また、周波数チャネルＣＨ１のＰＬＰに対応するセル群のうちｉ個目の出力セルをｇｉ，１とする。周波数チャネルＣＨ２のＰＬＰに対応するセル群のうちｉ個目の出力セルをｇｉ，２とする。ｉが奇数である場合、入力セルおよび出力セルの間の関係は、次の式により表される。
【数１】
2020022117.tif 000003
【００９３】
一方、ｉが偶数である場合、入力セルおよび出力セルの間の関係は、次の式により表される。
【数２】
2020022117.tif 000004
【００９４】
式２より、同図におけるａに例示するように、周波数チャネルＣＨ１の０番目の入力セルｓ０，１は、周波数チャネルＣＨ１の０番目の出力セルｇ０，１として出力される。また、周波数チャネルＣＨ２の０番目の入力セルｓ０，２は、周波数チャネルＣＨ２の０番目の出力セルｇ０，２として出力される。
【００９５】
式１より、同図におけるｂに例示するように周波数チャネルＣＨ１の１番目の入力セルｓ１，１は、周波数チャネルＣＨ２の１番目の出力セルｇ１，２として出力される。また、周波数チャネルＣＨ２の１番目の入力セルｓ１，２は、周波数チャネルＣＨ１の１番目の出力セルｇ１，１として出力される。
【００９６】
式２より、同図におけるｃに例示するように、周波数チャネルＣＨ１の２番目の入力セルｓ２，１は、周波数チャネルＣＨ１の２番目の出力セルｇ２，１として出力される。また、周波数チャネルＣＨ２の２番目の入力セルｓ２，２は、周波数チャネルＣＨ２の２番目の出力セルｇ２，２として出力される。以下、同様に奇数番目のセルが交換され、偶数番目のセルは交換されずに出力される。このように周波数チャネル間でセルを交換することにより、ＳＮＲを向上させることができる。
【００９７】
図１８は、本技術の第２の実施の形態におけるメイン集積回路３００およびサブ集積回路４００の一構成例を示すブロック図である。この第２の実施の形態のメイン集積回路３００は、メイン側セル交換部３３０をさらに備える点において第１の実施の形態と異なる。また、第２の実施の形態のサブ集積回路４００は、サブ側セル交換部４３０をさらに備える点において第１の実施の形態と異なる。
【００９８】
メイン側セル交換部３３０は、セルの入力インデックスを取得し、その入力インデックスが奇数である場合にサブ側との間でセルを交換するものである。一方、インデックスが偶数である場合には、セルは交換されない。メイン側セル交換部３３０は、交換したセル、または、交換していないセルをＦＥＣブロックの単位でメイン側復号部３４０に供給する。なお、メイン側セル交換部３３０は、特許請求の範囲に記載の第２のセル交換部の一例である。
【００９９】
サブ側セル交換部４３０は、セルの入力インデックスを取得し、その入力インデックスが奇数である場合にメイン側との間でセルを交換するものである。一方、入力インデックスが偶数である場合には、セルは交換されない。サブ側セル交換部４３０は、交換したセル、または、交換していないセルをＦＥＣブロックの単位でサブ側復号部４４０に供給する。なお、サブ側セル交換部４３０は、特許請求の範囲に記載の第１のセル交換部の一例である。
【０１００】
また、メイン側ＯＦＤＭ復調部３２０は、メイン側復調ロックフラグを生成する。例えば、復調に成功した回数が一定回数を超える場合にメイン側復調ロックフラグにオンが設定される。同様に、サブ側ＯＦＤＭ復調部４２０は、サブ側復調ロックフラグを生成する。
【０１０１】
図１９は、本技術の第２の実施の形態におけるメイン側セル交換部３３０の一構成例を示すブロック図である。このメイン側セル交換部３３０は、ＦＥＣブロックカウンタ３３１、セル送信部３３２およびセル受信部３３３を備える。
【０１０２】
ＦＥＣブロックカウンタ３３１は、メイン側ＯＦＤＭ復調部３２０から入力されるＦＥＣブロックの入力回数を計数するものである。このＦＥＣブロックカウンタ３３１は、Ｌ１情報内の「L1D_plp_start」を参照し、ＰＬＰ内の先頭のＦＥＣブロックが入力された際に計数値を初期化し、ＦＥＣブロックが入力されるたびに計数値を計数する。ＦＥＣブロックカウンタ３３１は、ＦＥＣブロックカウンタの計数値をＦＥＣブロックカウンタ値としてＬ１情報とともにセル送信部３３２およびセル受信部３３３に供給する。
【０１０３】
セル送信部３３２は、セルの入力インデックスを取得し、その入力インデックスが奇数である場合にセルをサブ側セル交換部４３０に送信するものである。セル送信部３３２は、サブ側セル交換部４３０とクロック線４０１、シンク線４０２、データ線４０３およびバリッド線４０４を介して接続されており、これらの信号線を介してセルを送信する。
【０１０４】
セル送信部３３２は、メイン側のＬ１情報からＦＥＣブロックの符号化方式および符号化率を取得する。そして、セル送信部３３２は、メイン側の符号化方式、符号化率およびメイン側復調ロックフラグをＦＥＣブロックカウンタ値とともにサブ側に送信する。また、セル送信部３３２は、セル受信部３３３から、サブ側の符号化方式、符号化率、サブ側復調ロックフラグおよびＦＥＣブロックカウンタ値を受け取る。
【０１０５】
セル送信部３３２およびセル受信部３３３は、メイン側復調ロックフラグおよびサブ側復調ロックフラグがオンである場合にセルの交換を開始する。セル送信部３３２は、メイン側の符号化方式、符号化率およびＦＥＣブロックカウンタ値がサブ側と一致するか否かを判断し、一致する場合に、それらの情報を元にＦＥＣブロックのサイズをセル単位で求める。
【０１０６】
そして、セル送信部３３２は、ＦＥＣブロックをセル単位で分割し、奇数個目の（入力インデックスの）セルをサブ側に送信し、偶数個目の（入力インデックスの）セルをセル受信部３３３に供給する。
【０１０７】
セル受信部３３３は、符号化方式、符号化率、サブ側復調ロックフラグ、ＦＥＣブロックカウンタ値およびセルをサブ側セル交換部４３０から受信するものである。セル受信部３３３は、サブ側セル交換部４３０とクロック線４０５、シンク線４０６、データ線４０７およびバリッド線４０８を介して接続されており、これらの信号線を介してセル等を受信する。セル受信部３３３は、受信した符号化方式、符号化率、サブ側復調ロックフラグ、ＦＥＣブロックカウンタ値をセル送信部３３２に供給する。そして、セル受信部３３３は、セル送信部３３２からの偶数個目のセルと、受信した奇数個目のセルとからＦＥＣブロックを生成し、メイン側復号部３４０に供給する。
【０１０８】
なお、サブ側セル交換部４３０の構成は、メイン側セル交換部３３０と同様である。
【０１０９】
図２０は、本技術の第２の実施の形態におけるデータの転送制御を示すタイミングチャートの一例である。
【０１１０】
メイン側セル交換部３３０は、まず、データ送信を開始するタイミングＴ０において、受信側と同期をとるための同期信号ＳＹＮＣを送信する。また、メイン側セル交換部３３０は、タイミングＴ０からＴ１までの期間にヘッダ情報を送信し、タイミングＴ１からタイミングＴ２までに、クロック信号ＣＬＫに同期してセルを送信する。タイミングＴ３以降は、次のヘッダ情報およびセルが送信される。タイミングＴ２乃至Ｔ３は、有効データが送信されないギャップの期間である。この期間において、データ有効信号ＶＡＬＩＤは、ローレベルに設定され、それ以外の期間においてハイレベルに設定される。
【０１１１】
ヘッダ情報は、例えば、ＰＬＰの識別情報と、符号化方式および符号化率と、ＦＥＣブロックカウンタ値と、メイン側復調ロックフラグとを含む。なお、サブ側から送信されるヘッダ情報は、ＰＬＰの識別情報などの他、サブ側復調ロックフラグを含む。
【０１１２】
図２１は、本技術の実施の形態におけるデータの転送パターンの一例を示す図である。第２の実施の形態では、パターン１に例示するように、４本の信号線を介してサブ側およびメイン側の間で双方向に、クロック信号ＣＬＫ、同期信号ＳＹＮＣ、データ信号ＤＡＴＡおよびデータ有効信号ＶＡＬＩＤが伝送される。
【０１１３】
また、パターン２に例示するように、３本の信号線を介してサブ側およびメイン側の間で双方向に、クロック信号ＣＬＫ、データ信号ＤＡＴＡおよびデータ有効信号ＶＡＬＩＤを伝送することもできる。この場合には、第１の実施の形態の変形例のように、同期信号はデータ線を介して伝送される。
【０１１４】
また、パターン３に例示するように、２本の信号線を介してサブ側およびメイン側の間で双方向に、クロック信号ＣＬＫおよびデータ信号ＤＡＴＡを伝送することもできる。この場合には、ギャップの期間なしに、連続してデータが伝送される。また、パターン４に例示するように、３本の信号線を介してサブ側およびメイン側の間で双方向に、クロック信号ＣＬＫ、データ信号ＤＡＴＡおよび同期信号ＳＹＮＣを伝送することもできる。この場合には、ギャップの期間なしに、連続してデータが伝送される。
【０１１５】
また、メイン側のクロック信号線をサブ側が共有することもできる。この場合にはパターン５乃至８に例示するようにサブ側はクロック信号ＣＬＫを伝送しない。それ以外の構成は、パターン１乃至４と同様である。
【０１１６】
また、サブ側のクロック信号線をメイン側が共有することもできる。この場合にはパターン９乃至１２に例示するようにメイン側はクロック信号ＣＬＫを伝送しない。それ以外の構成は、パターン１乃至４と同様である。
【０１１７】
このように、本技術の第２の実施の形態によれば、受信装置２００が、異なる周波数チャネル間で奇数個目のセルを交換するため、セルを交換しない場合と比較してＳＮＲを向上させることができる。
【０１１８】
＜３．第３の実施の形態＞
上述の第１の実施の形態では、２つの周波数チャネルを介してデータを受信していたが、高精細なストリームを伝送する場合には周波数チャネルが２つでは周波数帯域が不足するおそれがある。この第３の実施の形態の受信装置２００は、３つの周波数チャネルを介してデータを受信する点において第１の実施の形態と異なる。
【０１１９】
図２２は、本技術の第３の実施の形態におけるメイン集積回路およびサブ集積回路の一構成例を示すブロック図である。この第３の実施の形態の受信装置２００は、サブ集積回路５００をさらに備える点において第１の実施の形態と異なる。
【０１２０】
サブ集積回路５００は、周波数チャネルＣＨ１およびＣＨ２と異なる周波数チャネルＲＦ３を介して受信されたＯＦＤＭフレームを復調および復号する。サブ集積回路５００は、サブ側ＯＦＤＭ復調部５２０およびサブ側復号部５４０を備える。これらのサブ側ＯＦＤＭ復調部５２０およびサブ側復号部５４０の構成は、サブ側ＯＦＤＭ復調部４２０およびサブ側復号部４４０と同様である。
【０１２１】
サブ集積回路５００は、ＢＢＰを取得して結合部３５０に供給する。結合部３５０は、メイン側復号部３４０と、サブ集積回路４００および５００とのそれぞれからのＢＢＰを結合してストリームを復元する。
【０１２２】
なお、サブ集積回路をさらに追加して、４つ以上の周波数チャネルを介して受信装置２００がデータを受信することもできる。
【０１２３】
このように、本技術の第３の実施の形態によれば、受信装置２００が、３つの周波数チャネルを介してデータを受信するため、２つの周波数チャネルを介して受信する場合よりも周波数帯域を広くすることができる。
【０１２４】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０１２５】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【０１２６】
なお、本明細書に記載された効果はあくまで例示であって、限定されるものではなく、また、他の効果があってもよい。
【０１２７】
なお、本技術は以下のような構成もとることができる。
（１）第１および第２のパケットを含むストリーム内の前記第１のパケットが符号化された第１のフレームを第１の周波数チャネルを介して受信する第１の受信回路と、
前記第２のパケットが符号化された第２のフレームを前記第１の周波数チャネルと異なる第２の周波数チャネルを介して受信する第２の受信回路と、
前記第１のフレームを復号して前記第１のパケットを取得する第１の集積回路と、
前記第２のフレームを復号して前記第２のパケットを取得する処理と前記第１および第２のパケットを結合して前記ストリームを復元する処理とを行う第２の集積回路と
を具備する受信装置。
（２）前記第１の集積回路は、
前記第１のフレームを復調して複数の第１入力セルを取得する第１の復調部と、
前記複数の第１入力セルの一部を前記第２の集積回路との間で交換して交換後のセルのそれぞれを第１出力セルとして出力する第１のセル交換部と、
前記第１出力セルを復号して前記第１のパケットを取得する第１の復号部と
を備え、
前記第２の集積回路は、
前記第２のフレームを復調して複数の第２入力セルを取得する第２の復調部と、
前記複数の第２入力セルの一部を前記第１の集積回路との間で交換して交換後のセルのそれぞれを第２出力セルとして出力する第２のセル交換部と、
前記第２出力セルを復号して前記第２のパケットを取得する第２の復号部と、
前記第１および第２のパケットを結合して前記ストリームを復元する結合部と
を備える前記（１）記載の受信装置。
（３）前記第１のセル交換部は、前記第１入力セルの入力インデックスに応じた数値を取得し、当該入力インデックスが奇数である場合には前記第１入力セルの交換を行い、
前記第２のセル交換部は、前記第２入力セルの入力インデックスを取得し、当該入力インデックスが奇数である場合には前記第２入力セルの交換を行う
前記（２）記載の受信装置。
（４）前記第１の交換セルは、クロック信号、前記入力インデックスに応じた数値、同期信号およびデータ有効信号の少なくとも１つを前記第１入力セルとともに前記第２の交換セルに送信する
前記（３）記載の受信装置。
（５）前記第２の交換セルは、クロック信号、前記入力インデックスに応じた数値、同期信号およびデータ有効信号の少なくとも１つを前記第２入力セルとともに前記第１の交換セルに送信する
前記（３）または（４）に記載の受信装置。
（６）前記第２の集積回路は、所定の条件を満たす場合には前記第１および第２のパケットを結合する
前記（１）記載の受信装置。
（７）前記第１のフレームは、前記第１のパケットを符号化した第１符号化ブロックを含み、
前記第２のフレームは、前記第２のパケットを符号化した第２符号化ブロックを含み、
前記第１の集積回路は、前記第１の符号化ブロックの復号のたびに前記第１のパケットの誤りの有無を判断し、前記誤りが無いと連続して判断した回数が所定回数を超えた場合には第１の復号ロックフラグを生成し、
前記第２の集積回路は、前記第１の符号化ブロックの復号のたびに前記第２のパケットの誤りの有無を判断し、前記誤りが無いと連続して判断した回数が所定回数を超える場合には第２の復号ロックフラグを生成し、前記第１および第２の復号ロックフラグが生成されたときに前記第１および第２のパケットの結合を開始する
前記（６）記載の受信装置。
（８）前記第２の集積回路は、前記誤りが無いと判断された前記第１のパケットと前記誤りが無いと判断された前記第２のパケットとを結合する
前記（８）記載の受信装置。
（９）前記第１の集積回路は、クロック信号、同期信号およびデータ有効信号の少なくとも１つを前記第１のパケットとともに前記第２の集積回路に送信する
前記（１）から（８）のいずれかに記載の受信装置。
（１０）前記第１および第２のフレームは、ＡＴＳＣ（Advanced Television Systems Committee standards）３．０規格に準拠したフレームである
前記（１）から（９）のいずれかに記載の受信装置。
（１１）第１および第２のパケットを含むストリーム内の前記第１のパケットを符号化した第１のフレームを第１の周波数チャネルを介して送信するとともに前記第２のパケットを符号化した第２のフレームを前記第１の周波数チャネルと異なる第２の周波数チャネルを介して送信する送信装置と、
前記第１のフレームを前記第１の周波数チャネルを介して受信する第１の受信回路と、
前記第２のフレームを前記第２の周波数チャネルを介して受信する第２の受信回路と、
前記第１のフレームを復号して前記第１のパケットを取得する第１の集積回路と、
前記第２のフレームを復号して前記第２のパケットを取得する処理と前記第１および第２のパケットを結合して前記ストリームを復元する処理とを行う第２の集積回路と
を具備する通信システム。
（１２）第１および第２のパケットを含むストリーム内の前記第１のパケットが符号化された第１のフレームを第１の周波数チャネルを介して受信する第１の受信手順と、
前記第２のパケットが符号化された第２のフレームを前記第１の周波数チャネルと異なる第２の周波数チャネルを介して受信する第２の受信手順と、
第１の集積回路が、前記第１のフレームを復号して前記第１のパケットを取得する第１の取得手順と、
第２の集積回路が、前記第２のフレームを復号して前記第２のパケットを取得する処理と前記第１および第２のパケットを結合して前記ストリームを復元する処理とを行う第２の取得手順と
を具備する受信装置の制御方法。
【符号の説明】
【０１２８】
１００  送信装置
１１０  入力フォーマッティングブロック
１２０  ストリーム分割ブロック
１３０、１３５  ＢＩＣＭブロック
１４０  セル交換ブロック
１５０、１５５  フレーム化・インターリービングブロック
１６０、１６５  波形生成部
１７０  ＲＦ送信回路
１８０  アンテナ
２００  受信装置
２１０、２１５  アンテナ
２２０、２２５  ＲＦ受信回路
２５０  復号データ処理部
３００  メイン集積回路
３２０  メイン側ＯＦＤＭ復調部
３３０  メイン側セル交換部
３３１  ＦＥＣブロックカウンタ
３３２  セル送信部
３３３  セル受信部
３４０  メイン側復号部
３５０、４５０  結合部
３６０、４６０  インターフェース
４００、５００  サブ集積回路
４２０、５２０  サブ側ＯＦＤＭ復調部
４３０  サブ側セル交換部
４４０、５４０  サブ側復号部
４４１  ＦＥＣ復号部
４４２  サブ側送信部
【図１】
2020022117.tif 000005
【図２】
2020022117.tif 000006
【図３】
2020022117.tif 000007
【図４】
2020022117.tif 000008
【図５】
2020022117.tif 000009
【図６】
2020022117.tif 000010
【図７】
2020022117.tif 000011
【図８】
2020022117.tif 000012
【図９】
2020022117.tif 000013
【図１０】
2020022117.tif 000014
【図１１】
2020022117.tif 000015
【図１２】
2020022117.tif 000016
【図１３】
2020022117.tif 000017
【図１４】
2020022117.tif 000018
【図１５】
2020022117.tif 000019
【図１６】
2020022117.tif 000020
【図１７】
2020022117.tif 000021
【図１８】
2020022117.tif 000022
【図１９】
2020022117.tif 000023
【図２０】
2020022117.tif 000024
【図２１】
2020022117.tif 000025
【図２２】
2020022117.tif 000026